【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】 室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる気中水分量の変化から前記換気扇の運転モードを制御するようにした室内自動換気システムにおいて、
所定の時間ごとに前記相対湿度センサで測定された相対湿度と前記温度センサで測定された温度を記憶する記憶手段と、温度に対応させて飽和水蒸気量を出力可能な飽和水蒸気量出力手段とを備え、時間ｔ0 に測定されて前記記憶手段に記憶された相対湿度データＲＨ0 と温度データＴ0 から絶対湿度ＡＨ0 を求め、この絶対湿度ＡＨ0 を、その後の時間ｔ1に測定された温度データＴ1における相対湿度ＲＨ0 ´に換算し、この相対湿度ＲＨ0 ´と時間ｔ1に測定された相対湿度ＲＨ1とを比較して、時間ｔ0 から時間ｔ1までの同温度に換算したときの相対湿度の変化（ＲＨ0 ′−ＲＨ1）が予め設定した範囲を越えたとき前記換気扇の運転モードを切り換えることを特徴とする室内自動換気システム。
【請求項２】 室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる絶対湿度の変化から前記換気扇の運転モードを制御するようにした室内自動換気システムにおいて、
所定の時間ごとに前記相対湿度センサで測定された相対湿度と前記温度センサで測定された温度を記憶する記憶手段と、温度に対応させて飽和水蒸気量を出力可能な飽和水蒸気量出力手段とを備え、時間ｔ1に前記相対湿度センサで測定された相対湿度ＲＨ1と前記温度センサで測定された温度Ｔ1から絶対湿度ＡＨ1を求め、この絶対湿度ＡＨ1を、これより前の時間ｔ0 に測定されて前記記憶手段に記憶された温度Ｔ0 における相対湿度ＲＨ1´に換算し、この相対湿度ＲＨ1´と前記記憶手段に記憶された時間ｔ0 における相対湿度ＲＨ0 と比較して、時間ｔ0 から時間ｔ1までの同温度に換算したときの相対湿度の変化（ＲＨ0−ＲＨ1´）が予め設定した範囲を越えたとき前記換気扇の運転モードを切り換えることを特徴とする室内自動換気システム。
【請求項３】 室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる絶対湿度の変化から前記換気扇の運転モードを制御するようにした室内自動換気システムにおいて、
所定の時間ごとに前記相対湿度センサで測定された相対湿度と前記温度センサで測定された温度を記憶する記憶手段と、温度に対応させて飽和水蒸気量を出力可能な手段とを備え、時間ｔ1に前記相対湿度センサで測定された相対湿度ＲＨ1と前記温度センサで測定された温度Ｔ1から絶対湿度ＡＨ1を求め、これより前の時間ｔ0 に測定されて前記記憶手段に記憶された相対湿度ＲＨ0 と前記記憶手段に記憶された温度Ｔ0 から絶対湿度ＡＨ0 を求め、絶対湿度ＡＨ1を絶対湿ＡＨ0 と比較して、時間ｔ0 から時間ｔ1までの絶対湿度の変化（ＡＨ0 −ＡＨ1）が予め設定した範囲を越えたとき前記換気扇の運転モードを切り換えることを特徴とする室内自動換気システム。
【請求項４】 前記換気扇が連続運転モードで運転を行っているときに、相対湿度の減少（ＲＨ0 ′−ＲＨ）が予め設定した範囲を越えたとき前記換気扇の運転モードを切り換えることを特徴とする請求項１乃至３のいずれか１項記載の室内自動換気システム。
【請求項5】 温度に対応させて飽和水蒸気量を出力可能な手段が、温度に対応させて飽和水蒸気量を示すテーブルを記憶する記憶手段であることを特徴とする請求項１乃至４のいずれか１項に記載の室内自動換気システム。
【手続補正２】
【補正対象書類名】明細書
【補正対象項目名】０００９
【補正方法】変更
【補正の内容】
【０００９】
湿度の電気的な測定は、固体が吸湿すると露点に至るまでは電気抵抗が含水量にほぼ比例して増加する原理を利用している。したがって、直接電気的に測定される湿度は空気の相対湿度であり、絶対湿度は、ここで測定された相対湿度とその時の温度の飽和絶対湿度から演算によって求められる。なお、室内と屋外の相対湿度の差によって換気扇を制御する方法も提案されているが、相対湿度は空気中の水分量（絶対湿度）が一定でも、特に高い温度領域において、温度によって大きく変化し、室内外の温度差が大きい場合には、絶対湿度の差と相対湿度の差が逆転することもあるため、このようなときには逆に室内に水分を持ち込むことがあるという問題がある。
【手続補正３】
【補正対象書類名】明細書
【補正対象項目名】００１３
【補正方法】変更
【補正の内容】
【００１３】
さらに、絶対湿度を求めるには、相対湿度と温度を測定し、この相対湿度と温度から計算又はテーブルによって絶対湿度を求めているが、異なる時間における絶対湿度を比較するために、前に測定した温度と相対湿度から前に測定したときの絶対湿度を求め、さらに後に測定した温度と相対湿度から後に測定したときの絶対湿度を求めて、これらの絶対湿度を比較するのでは、計算量が多くなり、さらに制御効率が悪くなる。これに対応するためには、演算装置部分のコストが高くなるという問題があった。
【手続補正４】
【補正対象書類名】明細書
【補正対象項目名】００１５
【補正方法】変更
【補正の内容】
【００１５】
また、間欠運転前後の絶対湿度を比較するためには、計算量が多くなり、さらに制御効率が悪くなる。これに対応するためには、演算装置部分のコストが高くなるという問題もあった。
【手続補正５】
【補正対象書類名】明細書
【補正対象項目名】００１７
【補正方法】変更
【補正の内容】
【００１７】
【課題を解決するための手段】本発明の室内自動換気システムの第１の実施形態は、 室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる気中水分量の変化から前記換気扇の運転モードを制御するようにした室内自動換気システムにおいて、所定の時間ごとに前記相対湿度センサで測定された相対湿度と前記温度センサで測定された温度を記憶する記憶手段と、温度に対応させて飽和水蒸気量を出力可能な飽和水蒸気量出力手段とを備え、時間ｔ0 に測定されて前記記憶手段に記憶された相対湿度データＲＨ0 と温度データＴ0 から絶対湿度ＡＨ0 を求め、この絶対湿度ＡＨ0 を、その後の時間ｔ1に測定された温度データＴ1における相対湿度ＲＨ0 ´に換算し、この相対湿度ＲＨ0 ´と時間ｔ1に測定された相対湿度ＲＨ1とを比較して、時間ｔ0 から時間ｔ1までの同温度に換算したときの相対湿度の変化（ＲＨ0 ′−ＲＨ1）が予め設定した範囲を越えたとき前記換気扇の運転モードを切り換えることを特徴としている。
【手続補正６】
【補正対象書類名】明細書
【補正対象項目名】００１８
【補正方法】変更
【補正の内容】
【００１８】
また、第２の実施形態は、 室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる絶対湿度の変化から前記換気扇の運転モードを制御するようにした室内自動換気システムにおいて、所定の時間ごとに前記相対湿度センサで測定された相対湿度と前記温度センサで測定された温度を記憶する記憶手段と、温度に対応させて飽和水蒸気量を出力可能な飽和水蒸気量出力手段とを備え、時間ｔ1に前記相対湿度センサで測定された相対湿度ＲＨ1と前記温度センサで測定された温度Ｔ1から絶対湿度ＡＨ1を求め、この絶対湿度ＡＨ1を、これより前の時間ｔ0 に測定されて前記記憶手段に記憶された温度Ｔ0 における相対湿度ＲＨ1´に換算し、この相対湿度ＲＨ1´と前記記憶手段に記憶された時間ｔ0 における相対湿度ＲＨ0 と比較して、時間ｔ0 から時間ｔ1までの同温度に換算したときの相対湿度の変化（ＲＨ0−ＲＨ1´）が予め設定した範囲を越えたとき前記換気扇の運転モードを切り換えることを特徴としている。
【手続補正７】
【補正対象書類名】明細書
【補正対象項目名】００１９
【補正方法】変更
【補正の内容】
【００１９】
さらに、第３の実施形態は、室内と外気とを連通する開口部に換気扇を設置し、前記換気扇により外気が取り込まれる開口部又は室内の領域に相対湿度センサと温度センサとを設置し前記換気扇を間欠運転モードで運転させ、前記換気扇の運転による前記相対湿度センサの測定した相対湿度と前記温度センサの測定した温度から求められる絶対湿度の変化から前記換気扇の運転モードを制御するようにした室内自動換気システムにおいて、所定の時間ごとに前記相対湿度センサで測定された相対湿度と前記温度センサで測定された温度を記憶する記憶手段と、温度に対応させて飽和水蒸気量を出力可能な手段とを備え、時間ｔ1に前記相対湿度センサで測定された相対湿度ＲＨ1と前記温度センサで測定された温度Ｔ1から絶対湿度ＡＨ1を求め、これより前の時間ｔ0 に測定されて前記記憶手段に記憶された相対湿度ＲＨ0 と前記記憶手段に記憶された温度Ｔ0 から絶対湿度ＡＨ0 を求め、絶対湿度ＡＨ1を絶対湿ＡＨ0 と比較して、時間ｔ0 から時間ｔ1までの絶対湿度の変化（ＡＨ0 −ＡＨ1）が予め設定した範囲を越えたとき前記換気扇の運転モードを切り換えることを特徴としている。
【手続補正８】
【補正対象書類名】明細書
【補正対象項目名】００２０
【補正方法】変更
【補正の内容】
【００２０】
いずれの実施形態においても、前記換気扇が連続運転モードの運転を行っているときに、相対湿度の変化（ＲＨ0 ′−ＲＨ1）又は絶対湿度の変化（ＡＨ0 −ＡＨ1）が予め設定した範囲を越えたとき前記換気扇を間欠運転モードあるいは、停止その他のモードに切り換えられる。温度に対応させて飽和水蒸気量を出力可能な手段としては、温度に対応させて飽和水蒸気量を示すテーブルを記憶する記憶手段を用いることができる。
【手続補正９】
【補正対象書類名】明細書
【補正対象項目名】００２１
【補正方法】変更
【補正の内容】
【００２１】
一般に絶対湿度を測定する湿度センサは、相対湿度を電気的に検知する相対湿度検知部と、温度を検知する温度検知部と、対象とする温度範囲で所定の温度刻みで各温度における相対湿度と絶対湿度の関係（テーブル）、又は各温度における飽和水蒸気量を記憶する第１の記憶部と、中央演算制御部とを備え、相対湿度検知部で測定された相対湿度と温度検知部で測定された温度から絶対湿度を求める構成となっている。
【手続補正１０】
【補正対象書類名】明細書
【補正対象項目名】００２２
【補正方法】変更
【補正の内容】
【００２２】
本発明に使用される絶対湿度を測定する湿度センサは一般的に上記構成を備えており、相対湿度と絶対湿度を出力できる。また、温度検知部を有しているので、この温度検知部で測定された温度の出力端末を設けることができる。
【手続補正１１】
【補正対象書類名】明細書
【補正対象項目名】００３４
【補正方法】変更
【補正の内容】
【００３４】
この制御ユニット４は、相対湿度センサ６、温度センサ７、湿度データと温度データを記憶する第１の記憶装置（ＲＡＭ）８及び所定の温度刻みで各温度における飽和水蒸気量を記憶する第２の記憶装置（ＲＯＭ）９及び中央演算装置（ＣＰＵ）１０から構成されている。